(57)【特許請求の範囲】
【請求項１】
複数のニュースを格納するニュースデータベースを備えた、または前記ニュースデータベースとネットワークで接続された情報提供装置に、
前記ニュースデータベースに格納されたニュースの全部または一部を集約した集約情報を所定の利用者へ送信する集約情報送信工程と、
前記集約情報によって集約された複数のニュースの中から選択されたニュースに関する選択情報を受信する選択情報受信工程と、
前記選択情報受信工程によって受信された選択情報に基づいて、前記ニュースデータベースから所定のニュースのみを抽出するニュース抽出工程と、
前記ニュースデータベースに格納されたニュースを更新する情報更新工程と、
前記ニュース抽出工程によって抽出されたニュースを用いてコンテンツを作成するコンテンツ作成工程と、
前記コンテンツ作成工程によって作成されたコンテンツを所定のサイトに登録する登録工程と、
を実行させ、
前記コンテンツ作成工程は、
前記情報更新工程によって更新されたニュースが、前記ニュース抽出工程によって抽出されたニュースである場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、更新されたニュースを用いて前記コンテンツを再作成する、
ことを特徴とする情報提供プログラム。
【請求項２】
複数のニュースを格納するニュースデータベースを備えた、または前記ニュースデータベースとネットワークで接続された情報提供装置に、
前記ニュースデータベースに格納されたニュースの全部または一部を集約した集約情報を所定の利用者へ送信する集約情報送信工程と、
前記集約情報によって集約された複数のニュースの中から選択されたニュースに関する第１の選択情報を受信する第１の選択情報受信工程と、
前記第１の選択情報受信工程によって受信された第１の選択情報に基づいて、前記ニュースデータベースから所定のニュースのみを抽出するニュース抽出工程と、
前記ニュース抽出工程によって抽出されたニュースを前記所定の利用者へ送信するニュース送信工程と、
前記ニュース送信工程によって送信されたニュースの中から選択されたニュースに関する第２の選択情報を受信する第２の選択情報受信工程と、
前記ニュースデータベースに格納されたニュースを更新する情報更新工程と、
前記第２の選択情報受信工程によって受信された第２の選択情報によって選択されたニュースを用いてコンテンツを作成するコンテンツ作成工程と、
前記コンテンツ作成工程によって作成されたコンテンツを所定のサイトに登録する登録工程と、
を実行させ、
前記コンテンツ作成工程は、
前記情報更新工程によって更新されたニュースが、前記ニュース抽出工程によって抽出されたニュースである場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、更新されたニュースを用いて前記コンテンツを再作成する、
ことを特徴とする情報提供プログラム。
【請求項３】
複数のニュースを格納するニュースデータベース及び複数の広告情報を格納する広告情報データベースを備えた、または、前記ニュースデータベース及び前記広告情報データベースとネットワークで接続された情報提供装置に、
前記ニュース抽出工程によって抽出されたニュースに基づいて、前記広告情報データベースから所定の広告情報のみを抽出する広告情報抽出工程、を更に実行させ、
前記情報更新工程は、更に、前記広告情報データベースに格納された広告情報を更新し、
前記コンテンツ作成工程は、
前記ニュース抽出工程によって抽出されたニュースおよび前記広告情報抽出工程によって抽出された広告情報を用いてコンテンツを作成するとともに、
前記情報更新工程によって更新されたニュースまたは広告情報が、前記ニュース抽出工程によって抽出されたニュースまたは前記広告情報抽出工程によって抽出された広告情報である場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、
前記更新されたニュースおよび広告情報を用いて前記コンテンツを再作成する、
ことを特徴とする請求項１または２に記載の情報提供プログラム。
【請求項４】
前記情報提供装置に、
前記コンテンツ作成工程によって作成されたコンテンツの表示順序を変更する表示順序変更情報を受信する表示順序変更情報受信工程、を更に実行させ、
前記広告情報抽出工程は、更に、前記表示順序変更情報受信工程によって受信された表示順序変更情報に基づいて、所定の広告情報のみを抽出する、
ことを特徴とする請求項３に記載の情報提供プログラム。
【請求項５】
複数のニュースを格納するニュースデータベースを備えた、または前記ニュースデータベースとネットワークで接続された情報提供装置であって、
前記ニュースデータベースに格納されたニュースの全部または一部を集約した集約情報を所定の利用者へ送信する集約情報送信手段と、
前記集約情報によって集約された複数のニュースの中から選択されたニュースに関する選択情報を受信する選択情報受信手段と、
前記選択情報受信手段によって受信された選択情報に基づいて、前記ニュースデータベースから所定のニュースのみを抽出するニュース抽出手段と、
前記ニュースデータベースに格納されたニュースを更新する情報更新手段と、
前記ニュース抽出手段によって抽出されたニュースを用いてコンテンツを作成するコンテンツ作成手段と、
前記コンテンツ作成手段によって作成されたコンテンツを所定のサイトに登録する登録手段と、
を備え、
前記コンテンツ作成手段は、
前記情報更新手段によって更新されたニュースが、前記ニュース抽出手段によって抽出されたニュースである場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、更新されたニュースを用いて前記コンテンツを再作成する、
ことを特徴とする情報提供装置。
【請求項６】
複数のニュースを格納するニュースデータベースを備えた、または前記ニュースデータベースとネットワークで接続された情報提供装置であって、
前記ニュースデータベースに格納されたニュースの全部または一部を集約した集約情報を所定の利用者へ送信する集約情報送信手段と、
前記集約情報によって集約された複数のニュースの中から選択されたニュースに関する第１の選択情報を受信する第１の選択情報受信手段と、
前記第１の選択情報受信手段によって受信された第１の選択情報に基づいて、前記ニュースデータベースから所定のニュースのみを抽出するニュース抽出手段と、
前記ニュース抽出手段によって抽出されたニュースを前記所定のクライアント装置へ送信するニュース送信手段と、
前記ニュース送信手段によって送信されたニュースの中から選択されたニュースに関する第２の選択情報を受信する第２の選択情報受信手段と、
前記ニュースデータベースに格納されたニュースを更新する情報更新手段と、
前記第２の選択情報受信手段によって受信された第２の選択情報によって選択されたニュースを用いてコンテンツを作成するコンテンツ作成手段と、
前記コンテンツ作成手段によって作成されたコンテンツを所定のサイトに登録する登録手段と、
を備え、
前記コンテンツ作成手段は、
前記情報更新手段によって更新されたニュースが、前記ニュース抽出手段によって抽出されたニュースである場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、更新されたニュースを用いて前記コンテンツを再作成する、
ことを特徴とする情報提供装置。
【請求項７】
さらに、広告情報を格納する広告情報データベースを備え、または前記広告情報データベースとネットワークで接続され、
前記ニュース抽出手段によって抽出されたニュースに基づいて、前記広告情報データベースから所定の広告情報のみを抽出する広告情報抽出手段を備え、
前記情報更新手段は、更に、前記広告情報データベースに格納された広告情報を更新し、
前記コンテンツ作成手段は、
前記ニュース抽出手段によって抽出されたニュースおよび前記広告情報抽出工程によって抽出された広告情報を用いてコンテンツを作成するとともに、
前記情報更新手段によって更新されたニュースまたは広告情報が、前記ニュース抽出手段によって抽出されたニュースまたは前記広告情報抽出手段によって抽出された広告情報である場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、
前記更新されたニュースおよび広告情報を用いて前記コンテンツを再作成する、
ことを特徴とする請求項５または６に記載の情報提供装置。
【請求項８】
更に、前記コンテンツ作成手段によって作成されたコンテンツの表示順序を変更する表示順序変更情報を受信する表示順序変更情報受信手段を備え、
前記広告情報抽出手段は、更に、前記表示順序変更情報受信手段によって受信された表示順序変更情報に基づいて、所定の広告情報のみを抽出する、
ことを特徴とする請求項７に記載の情報提供装置。
【請求項９】
複数のニュースを格納するニュースデータベースを備えた、または前記ニュースデータベースとネットワークで接続された情報提供装置における情報提供方法であって、
前記ニュースデータベースに格納されたニュースの全部または一部を集約した集約情報を所定の利用者へ送信する集約情報送信工程と、
前記集約情報によって集約された複数のニュースの中から選択されたニュースに関する選択情報を受信する選択情報受信工程と、
前記選択情報受信工程によって受信された選択情報に基づいて、前記ニュースデータベースから所定のニュースのみを抽出するニュース抽出工程と、
前記ニュースデータベースに格納されたニュースを更新する情報更新工程と、
前記ニュース抽出工程によって抽出されたニュースを用いてコンテンツを作成するコンテンツ作成工程と、
前記コンテンツ作成工程によって作成されたコンテンツを所定のサイトに登録する登録工程と、
を含み、
前記コンテンツ作成工程は、
前記情報更新工程によって更新されたニュースが、前記ニュース抽出工程によって抽出されたニュースである場合であって、
所定の記憶領域に記憶された利用者ごとの前記ニュースの更新要否情報を有する利用者別テーブルに基づき、前記所定の利用者が前記利用者別テーブルの利用者と一致し、かつ、前記利用者別テーブルの更新要否情報が更新要である場合に、更新されたニュースを用いて前記コンテンツを再作成する、
ことを特徴とする情報提供方法。
【発明の詳細な説明】
【０００１】
【発明の属する技術分野】
この発明は、インターネットなどのネットワークを介してニュースなどの情報を提供する情報提供方法、情報提供装置および情報提供プログラムに関する。
【０００２】
近年、インターネットを用いた電子メール（以下、単に「メール」という）やホームページを使用してニュースなどの情報や広告の提供が盛んにおこなわれている。また近年、インターネットによるメールの送受信やホームページの閲覧は、パーソナルコンピュータを用いておこなわれるだけでなく、携帯電話機など小型の携帯端末装置を用いても盛んにおこなわれるようになってきた。
【０００３】
【従来の技術】
従来、インターネットのメーリングリスト・メール配信（いわゆる「メールマガジン」など）によって、ニュースなどの情報を利用者に提供するとともに、そのメール内に広告記事を掲載するサービスが存在する。また、利用者に対して事前にアンケートを実施し、そのアンケートの内容に基づいて利用者の趣味・嗜好を把握することで、利用者の意向に添った広告を提供するサービスもすでに存在する。
【０００４】
【発明が解決しようとする課題】
しかしながら、提供される情報には利用者にとって必要な情報と不必要な情報とが混在しており、必要情報の整理が煩雑であり、未整理の情報によって情報端末装置のメモリ容量を圧迫してしまうだけでなく、必要な情報を迅速に見つけ出すことができないという問題点があった。特に、情報量が増えると、不要な情報を消去する作業だけでも多大な時間と労力を要してしまうことになる。
【０００５】
また、携帯電話機などの小さいサイズの画面の端末装置にパーソナルコンピュータなどと同じ情報が送信された場合には、情報を効率的に参照することができないという問題点があった。
【０００６】
また、提供情報とともに送られる広告が、情報の参照、整理の際の妨げになる場合が多いという問題点があった。提供情報と関連性のない広告は特に問題である。これに対応するため、従来における事前のアンケートでは、利用者にとって煩雑であり、かつ、趣味・嗜好の変化に対応できないという問題点があった。さらに、無秩序な広告の提供は、広告の提供者側にとっても宣伝効果が少ないという問題点があった。
【０００７】
この発明は上記従来技術による問題を解決するため、利用者に対して効率的な情報の参照、選択および取得を可能ならしめるとともに、選択された情報の整理を代行することが可能な情報提供方法、情報提供装置および情報提供プログラムを提供することを目的とする。さらに、利用者に対して効果的な広告の提供を可能にすることを目的とする。
【０００８】
【課題を解決するための手段】
上述した課題を解決し、目的を達成するため、この発明にかかる情報提供方法、情報提供装置および情報提供プログラムは、提供情報の全部または一部を集約した集約情報を所定のクライアント装置へ送信し、前記集約情報によって集約された複数の提供情報の中から選択された提供情報に関する選択情報を受信し、受信された選択情報に基づいて、前記提供情報データベースから所定の提供情報のみを抽出し、抽出された提供情報を用いてコンテンツを作成し、作成されたコンテンツを所定のサイトに登録することを特徴とする。
【０００９】
また、この発明にかかる情報提供方法、情報提供装置および情報提供プログラムは、提供情報の全部または一部を集約した集約情報を所定のクライアント装置へ送信し、前記集約情報によって集約された複数の提供情報の中から選択された提供情報に関する選択情報を受信し、受信された選択情報に基づいて、前記提供情報データベースから所定の提供情報のみを抽出し、抽出された提供情報を前記所定のクライアント装置へ送信することを特徴とする。
【００１０】
この発明によって、利用者は、送信されてきた集約情報の中から所望の提供情報を選択するだけで、所望の提供情報（および広告情報）のみからなるホームページが自動作成され、あるいは、所望の提供情報（および広告情報）のみからなるメールが送信される。
【００１１】
【発明の実施の形態】
以下に添付図面を参照して、この発明にかかる情報提供方法、情報提供装置および情報提供プログラムの好適な実施の形態を詳細に説明する。
【００１２】
（実施の形態の概要）
まず、この発明の本実施の形態の概要について説明する。図１は、この発明の本実施の形態の概要を示す説明図である。図１において、１００は配信されるニュースの仲介業者（あるいはニュースの配信元）である。たとえば、インターネット・プロバイダなどであり、具体的にはサーバなどのハードウエアによって構成される（システム構成の詳細については後述する（図３０参照））。
【００１３】
また、１０１は配信されるニュースの利用者である。各利用者はクライアント装置としてパーソナルコンピュータや携帯電話機などの通信機能を備えた情報処理装置のハードウエアによって構成され、仲介業者１００のサーバなどにネットワークで接続されている。また、１０２は仲介業者１００が配信するニュースに添付される広告を提供する広告主である。
【００１４】
仲介業者１００は、広告情報ファイル１１１、利用者情報ファイル１１２、ニュースソース・ファイル１１３、ニュースカテゴリ・ファイル１１４、利用者別ニュースカテゴリ・ファイル１１５などの各種ファイルを備え、送信プロセス（Ａ）、ホームページ（ＨＰ）作成プロセス（Ｃ）、メール作成プロセス（Ｄ）などの各種プロセスから構成される。
【００１５】
送信プロセス（Ａ）では、ニュースソース・ファイル１１３に格納されたニュース情報（ニュースソース）の集約情報がサマリメールとして利用者１０１へ送信される。つぎに、返信プロセス（Ｂ）では、上記ニュース情報の選択情報（必要部分指定）に関する返信メールが仲介業者１００へ返信される。ＨＰ作成プロセス（Ｃ）では、上記選択情報（および広告情報）に基づいて、ニュース情報に関するホームページが作成されて所定のサイトの登録される。また、メール作成プロセス（Ｄ）では、上記選択情報（および広告情報）に基づいてニュース情報の詳細メールが作成されて利用者１０１へ送信される。
【００１６】
このような処理をすることで、利用者１０１は、サマリメールのみを見て所望のニュース情報を選択する。そして選択されたニュース情報のみ、その詳細情報がホームページとして作成されるので、後から所望のニュース情報だけを効率よく見ることができる（利用者１０１ａ）。
【００１７】
また、提供情報の中には緊急性の高い情報があり、情報処理端末装置（メディア）に依存せずに、いつでも即座に見たい場合がある。また、集約情報だけでなく、詳細情報を確認してから必要か否かを判断したい場合、あるいは、詳細情報を確認して必要と判断する場合がある。その要求に対応するために、選択されたニュース情報の詳細情報をメールによって受信することもでき（利用者１０１ｂ）、所望のニュース情報のみを即座に見ることができる。
【００１８】
また、利用者１０１は、仲介業者１００とネットワークで接続された情報処理端末装置を有している。情報処理端末装置（メディア）としては、一般的にはパーソナルコンピュータ（利用者Ｘ）や携帯電話機やＰＤＡなどの携帯型情報処理端末装置（利用者Ｙ）などがある。また、一人の利用者が複数のメディアを使い分けすることも可能である。
【００１９】
たとえば、提供情報の整理は携帯電話機などの小画面でかつ持ち運び可能なメディアで時間場所を選ばずにおこない、提供情報の詳細な内容の参照はパーソナルコンピュータの大画面でおこなうことが可能である。このように、パーソナルコンピュータや携帯電話機などのメディア特性を活かして、かつメディアに依存しない情報整理をおこなうことが可能となる。
【００２０】
（各ファイルの構成）
つぎに、仲介業者１００（の情報提供装置）が備える各種ファイルの内容
（構成）について説明する。図２は、図１に示した広告情報ファイル１１１の構成を示す説明図である。図１において、広告情報ファイル１１１は、広告情報が格納されており、広告主を示す内容に関する「広告主」項目と、ファイル名に関する「ファイル名」項目と、広告を提供することが可能なメディアに関する「提供メディア」項目と、各広告の内容に関連するカテゴリに関する「カテゴリ」項目と、を含んでいる。
【００２１】
上記「ファイル名」項目には、テキスト文書名や画像ファイル名などが格納されている。また、上記「提供メディア」項目には、たとえば、メールで提供するかホームページで提供するかなどの種別が格納されている。また、上記「カテゴリ」項目には、広告の内容に関連するカテゴリが一つまたは複数格納されていてもよい。
【００２２】
図３は、図１に示した利用者情報ファイル１１２の構成を示す説明図である。図３において、利用者情報ファイル１１２は、利用者に関する情報が格納されており、このサービスの利用者名（メールアドレス）に関する「利用者名」項目と、利用者が利用するメディアに関する「メディア」項目と、提供情報（ニュース）の詳細度に関する「詳細度」項目と、詳細情報を提供する場合の提供先に関する「情報展開先」項目と、を含んでいる。
【００２３】
図３において、上記「メディア」項目には「ＰＣ」および「携帯（電話機）」の２種類が挙げられているが、その種類は２種類には限定されない。また、上記「詳細度」も「詳細」と「簡易」の２種類には限定されない。「簡易１」、「簡易２」・・・、あるいは「詳細１」、「詳細２」・・・など、詳細度を段階的に類別するようにしてもよい。
【００２４】
図４は、図１に示したニュースソース・ファイルの構成を示す説明図である。図４において、ニュースソース・ファイル１１３には、ニュース情報の題名に関する「題名」、ニュース情報の見出しなどに関する「項目」、ニュース情報の詳細な内容が記載された「本文」の３つの階層から構成された各ニュース情報が格納されている。なお、図４においては３つの階層のみ示したが、各ニュース情報の階層は３つの階層以上であってもよい。たとえば、本文の内容を簡易な内容と、より詳細な内容というように階層を分けることもできる。
【００２５】
図５は、図１に示したニュースカテゴリ・ファイルの構成を示す説明図である。図５において、ニュースカテゴリ・ファイル１１４は、各ニュース情報のカテゴリなどに関する情報が格納されており、ニュース情報を識別するための「Ｎｏ．」、ニュース情報の題名に関する「題名」、ニュース情報の見出しなどに関する「項目」、ニュース情報を分類するための「カテゴリ」、ニュース情報を更新する際に関連付けするための「関連Ｎｏ．」の各項目を含んでいる。ここで、上記「カテゴリ」は一つには限定されず、複数個が登録されていてもよい。
【００２６】
図６は、図１に示した利用者別ニュースカテゴリ・ファイルの構成を示す説明図である。図６において、利用者別ニュースカテゴリ・ファイル１１５は、利用者ごとの各ニュース情報のカテゴリなどに関する情報が格納されており、「利用者名」、「Ｎｏ．」、「題名」、「項目」、「カテゴリ」、「キーワード」、「更新要否」の各項目を含んでいる。
【００２７】
ここで、「キーワード」項目には、各利用者が、ニュース情報を整理・分類するために追加したキーワードに関する情報が格納されている。また、「更新要否」項目には、ニュース情報が更新された場合に、ホームページも更新するか否かに関する情報が格納されている。「キーワード」項目および「更新要否」項目についての詳細な内容は後述する。
【００２８】
（情報提供装置のハードウエア構成）
つぎに、この発明の本実施の形態の内容を実現するための情報提供装置について説明する。図７は、この発明の本実施の形態にかかる情報提供装置（コンピュータ）のハードウエア構成の一例を示すブロック図である。
【００２９】
図７において、情報提供装置は、ＣＰＵ７０１と、ＲＯＭ７０２と、ＲＡＭ７０３と、ＨＤＤ（ハードディスクドライブ）７０４と、ＨＤ（ハードディスク）７０５と、ＦＤＤ（フロッピーディスクドライブ）７０６と、着脱可能な記録媒体の一例としてのＦＤ（フロッピーディスク）７０７と、ディスプレイ７０８と、Ｉ／Ｆ（インタフェース）７０９と、キーボード７１１と、マウス７１２と、スキャナ７１３と、プリンタ７１４と、を備えている。また、各構成部はバス７００によってそれぞれ接続されている。
【００３０】
ここで、ＣＰＵ７０１は、情報提供装置全体の制御を司る。ＲＯＭ７０２は、ブートプログラムなどのプログラムを記憶している。ＲＡＭ７０３は、ＣＰＵ７０１のワークエリアとして使用される。ＨＤＤ７０４は、ＣＰＵ７０１の制御にしたがってＨＤ７０５に対するデータのリード／ライトを制御する。ＨＤ７０５は、ＨＤＤ７０４の制御で書き込まれたデータを記憶する。
【００３１】
ＦＤＤ７０６は、ＣＰＵ７０１の制御にしたがってＦＤ７０７に対するデータのリード／ライトを制御する。ＦＤ７０７は、ＦＤＤ７０６の制御で書き込まれたデータを記憶したり、ＦＤ７０７に記録されたデータを情報処理装置へ読み取らせたりする。着脱可能な記録媒体として、ＦＤ７０７のほか、ＣＤ−ＲＯＭ（ＣＤ−Ｒ、ＣＤ−ＲＷ）、ＭＯ、ＤＶＤ（Ｄｉｇｉｔａｌ  ＶｅｒｓａｔｉｌｅＤｉｓｋ）、メモリーカードなどであってもよい。ディスプレイ７０８は、カーソル、アイコンあるいはツールボックスをはじめ、文書、画像、機能情報などのデータに関するウインドウ（ブラウザ）を表示する。たとえば、ＣＲＴ、ＴＦＴ液晶ディスプレイ、プラズマディスプレイなどである。
【００３２】
Ｉ／Ｆ（インタフェース）７０９は、通信回線７１０を通じてＬＡＮやインターネットなどのネットワークに接続され、ネットワークを介して、他の情報処理装置（サーバなど）に接続される。そして、Ｉ／Ｆ７０９は、ネットワークと内部とのインタフェースを司り、他のサーバや情報端末装置からのデータの入出力を制御する。Ｉ／Ｆ７０９は、たとえばモデムなどである。また、情報提供装置が携帯電話機などと無線通信をおこなう場合には、Ｉ／Ｆ７０９が通信機（無線送受信機）としての機能も備える。
【００３３】
キーボード７１１は、文字、数字、各種指示などの入力のためのキーを備え、データの入力をおこなう。タッチパネル式の入力パッドなどであってもよい。マウス７１２は、カーソルの移動や範囲選択、あるいはウインドウの移動やサイズの変更などをおこなう。ポインティングデバイスとして同様の機能を備えるものであれば、トラックボール、ジョイスティックなどであってもよい。
【００３４】
スキャナ７１３は、画像を光学的に読み取り、情報処理装置内に画像データを取り込む。また、プリンタ７１４は、画像データや文書データを印刷する。たとえば、レーザプリンタ、インクジェットプリンタなどである。
【００３５】
（情報提供装置の機能的構成）
図８は、この発明の本実施の形態にかかる情報提供装置の機能的構成を示すブロック図である。図８において、情報提供装置は、提供情報（ニュースソース）データベース８０１と、集約情報生成部８０２と、集約情報送信部８０３と、選択情報受信部８０４と、提供情報抽出部８０５と、コンテンツ（ホームページ）作成部８０６と、登録部８０７と、提供情報送信部８０８と、サイト情報送信部８０９と、広告情報データベース８１０と、広告情報抽出部８１１と、計数部８１２と、課金情報作成部８１３と、情報更新部８１４と、再作成情報送信部８１５と、を含む構成となっている。
【００３６】
ここで、提供情報（ニュースソース）データベース８０１は、複数の提供情報（ニュースソース）を格納する。この提供情報データベース８０１は、図１に示したニュースソースファイル１１３に対応する。提供情報データベース８０１は、たとえば、図７に示したＲＡＭ７０３、ＨＤ７０５、ＦＤ７０７などによってその機能を実現する。
【００３７】
集約情報生成部８０２は、提供情報データベース８０１に格納された提供情報の全部または一部を集約した集約情報を生成する。ここで、提供情報の一部とは、提供情報データベース８０１に格納されているすべての提供情報（ニュースソース）における一部の提供情報を意味する。たとえば、提供情報データベース８０１（ニュースソース・ファイル１１３）に格納されているすべての提供情報の中から、図１に示した利用者情報ファイル１１２、ニュースカテゴリ・ファイル１１４、利用者別ニュースカテゴリ・ファイル１１５などを用いて一部の提供情報を抽出する。
【００３８】
また、上記提供情報の一部とは、各提供情報の内容全体の一部の内容を意味する。たとえば、階層化されている提供情報の所定の階層の情報（図４に示した各情報の「題名」の階層の情報、あるいは「題名」と「項目」の階層の情報など）のみを抽出し、抽出した情報を集約情報として生成する。また、階層ごとに抽出する代わりに、各提供情報の全体または上記各階層の情報から特定の文章や単語などを抽出することによって、集約情報を生成するようにしてもよい。集約情報生成部８０２は、たとえば、図７に示したＲＯＭ７０２、ＲＡＭ７０３、ＨＤ７０５、ＦＤ７０７などに格納されたプログラムをＣＰＵ７０１が実行することによってその機能を実現する。
【００３９】
集約情報送信部８０３は、集約情報生成部８０２によって生成された集約情報（サマリメール）を所定のクライアント装置へ送信する。具体的には、利用者情報ファイル１１２を用いて送信先を特定し、その送信先へ集約情報を送信する。集約情報送信部８０３は、たとえば、図７に示したＩ／Ｆ７０９などによってその機能を実現する。そして、集約情報生成部８０２および集約情報送信部８０３によって、図１に示した送信プロセス（Ａ）を実現する。
【００４０】
選択情報受信部８０４は、集約情報によって集約された複数の提供情報の中から選択された提供情報に関する選択情報を所定のクライアント装置から受信する。上記選択情報の詳細な内容については、後述する（図１３〜図１５を参照）。選択情報受信部８０４は、たとえば、図７に示したＩ／Ｆ７０９などによってその機能を実現する。
【００４１】
提供情報抽出部８０５は、選択情報受信部８０４によって受信された選択情報に基づいて、提供情報データベース８０１から所定の提供情報のみを抽出する。また、コンテンツ（ホームページ）作成部８０６は、提供情報抽出部８０５によって抽出された提供情報を用いてコンテンツを作成する。具体的には、ＨＴＭＬ形式のホームページを作成する。また、登録部８０７は、コンテンツ作成部８０６によって作成されたコンテンツを所定のサイトに登録する。コンテンツ作成部８０６におけるコンテンツ（ホームページ）の作成処理および登録部８０７における登録処理の詳細な内容については後述する（図１６〜図１９などを参照）。
【００４２】
提供情報抽出部８０５、コンテンツ作成部８０６および登録部８０７は、たとえば、図７に示したＲＯＭ７０２、ＲＡＭ７０３、ＨＤ７０５、ＦＤ７０７などに格納されたプログラムをＣＰＵ７０１が実行することによってその機能を実現する。そして、提供情報抽出部８０５、コンテンツ作成部８０６および登録部８０７、さらには、後述する広告情報抽出部８１１によって、図１に示したＨＰ作成プロセス（Ｃ）を実現する。
【００４３】
提供情報送信部８０８は、提供情報抽出部８０５によって抽出された提供情報を前記所定のクライアント装置へ送信する。ここで、提供情報とともに、広告情報抽出部８１１によって抽出された広告情報もあわせて送信することもできる。提供情報送信部８０８は、たとえば、図７に示したＩ／Ｆ７０９などによってその機能を実現する。そして、提供情報抽出部８０５、提供情報送信部８０８および広告情報抽出部８１１によって、図１に示したメール作成プロセス（Ｄ）を実現する。
【００４４】
サイト情報送信部８０９は、登録部８０７によって登録されたサイトに関する情報（サイト情報）を所定のクライアント装置、すなわち、選択情報受信部８０４によって受信した選択情報を送信したクライアント装置へ送信する。サイト情報は登録完了通知とともに送信するようにしてもよい。サイト情報はクライアント装置側であらかじめわかっていれば送信する必要はない。したがって、サイト情報を送信するのは、利用者がサイト情報を知らない場合、あるいはサイトが変更になった場合などである。サイト情報送信部８０９は、たとえば図７に示したＩ／Ｆ７０９などによってその機能を実現する。
【００４５】
広告情報データベース８１０は、複数の広告主１０２の広告情報を格納する。同一の広告主１０２が複数の異なる種類の広告情報を複数個格納することもできる。この広告情報データベース８１０は、図１に示した広告情報ファイル１１１に対応する。広告情報データベース８１０は、たとえば、図７に示したＲＡＭ７０３、ＨＤ７０５、ＦＤ７０７などによってその機能を実現する。
【００４６】
広告情報抽出部８１１は、提供情報抽出部８０５によって抽出された提供情報に基づいて、広告情報データベース８１０から所定の広告情報のみを抽出する。すなわち、抽出された提供情報に付与されたカテゴリ（図５のニュースカテゴリ・ファイル１１４を参照）と同一または類似するカテゴリ（図２の広告情報ファイル１１１を参照）の広告情報を抽出する。その際、コンテンツ作成部８０６は、提供情報抽出部８０５によって抽出された提供情報および広告情報抽出部８１１によって抽出された広告情報を用いてコンテンツを作成する。広告情報抽出部８１１は、たとえば、図７に示したＲＯＭ７０２、ＲＡＭ７０３、ＨＤ７０５、ＦＤ７０７などに格納されたプログラムをＣＰＵ７０１が実行することによってその機能を実現する。
【００４７】
計数部８１２は、広告情報抽出部８１１によって広告情報が前記広告情報データベース８１０から抽出された回数またはコンテンツ作成部８０６によって広告情報がコンテンツの作成に用いられた回数を広告情報ごとに計数する。広告情報抽出部８１１によって広告情報が前記広告情報データベース８１０から抽出された回数と、コンテンツ作成部８０６によって広告情報がコンテンツの作成に用いられた回数とが一致する場合はいずれかの回数を用いればよい。両者が一致しない場合は、いずれか一方の回数を用いる。両者が一致しない例としては、たとえばコンテンツ（ホームページ）の全体容量の関係上、抽出されたがホームページに掲載されない場合や、広告情報データベース８１０の構成上、同一の広告情報が別々に抽出されてしまった場合で、いずれか一つをホームページに掲載する場合などである。
【００４８】
課金情報作成部８１３は、計数部８１２によって計数された回数に基づいて、課金情報を作成する。具体的には、計数された回数に広告情報の情報量などの計数を乗算して、所定期間（たとえば１ヶ月）における課金料金を算出する。算出された課金料金の金額などを用いて課金情報を作成する。課金情報は、広告情報ごとに作成されたもよく、また、複数の広告情報を提供している広告主の場合は、広告主ごとにそれら複数の広告情報をまとめた課金情報を作成されたものであってもよい。
【００４９】
作成された課金情報は所定の記憶領域に記憶されたり、図７に示したディスプレイ７０８に表示されたり、プリンタ７１４などによって出力（印刷）されたり、また、ネットワークを介して広告主１０２へ送信される。計数部８１２、課金情報作成部８１３は、たとえば、図７に示したＲＯＭ７０２、ＲＡＭ７０３、ＨＤ７０５、ＦＤ７０７などに格納されたプログラムをＣＰＵ７０１が実行することによってその機能を実現する。
【００５０】
情報更新部８１４は、提供情報データベース８０１に格納された提供情報および広告情報データベース８１０に格納された広告情報の少なくともいずれか一つの情報を更新する。その際、コンテンツ作成部８０６は、情報更新部８１４によって更新された情報が、提供情報抽出部８０５によって抽出された提供情報または広告情報抽出部８１１によって抽出された広告情報である場合に、更新された情報を用いて上記コンテンツ（ホームページ）を再作成する。情報更新部８１４は、たとえば、図７に示したＲＯＭ７０２、ＲＡＭ７０３、ＨＤ７０５、ＦＤ７０７などに格納されたプログラムをＣＰＵ７０１が実行することによってその機能を実現する。
【００５１】
再作成情報送信部８１５は、コンテンツ作成部８０６によって上記コンテンツが再作成された場合に、上記再作成に関する情報を上記クライアント装置、すなわち選択情報受信部８０４によって受信した選択情報を送信したクライアント装置へ送信する。再作成に関する情報（更新通知メール）の詳細については後述する（図２８のステップＳ２８０９を参照）。再作成情報送信部８１５は、たとえば、図７に示したＩ／Ｆ７０９などによってその機能を実現する。
【００５２】
なお、図８に示した情報提供装置では、たとえば図７に示したハードウエア構成を備えた１台のコンピュータによって実現するように説明したが、それには限定されず、たとえば複数台のサーバをＬＡＮやインターネットなどのネットワークで接続して、各サーバに上記各構成部の機能を分散させて実現するようにしてもよい。複数台のサーバに各機能を分散させて実現する構成については後述する（図３０を参照）。
【００５３】
また図８では、情報提供装置が提供情報（ニュースソース）データベース８０１および広告情報データベース８１０を備える構成としたが、それには限定されず、たとえば上記データベース８０１および８１０の少なくともいずれか一方のデータベースをＬＡＮやインターネットなどのネットワークで接続可能にすることもできる。その際は、情報提供装置内に上記ネットワークを介して上記データベース８０１および８１０にアクセスするためのインタフェースを備えることになる。
【００５４】
（送信プロセスの処理内容）
つぎに、図１に示した送信プロセス（Ａ）の処理の内容について説明する。図９は、送信プロセス（Ａ）の処理の内容を示すフローチャートである。図９のフローチャートにおいて、まず、図１に示した利用者情報ファイル１１２から利用者情報を抽出する（ステップＳ９０１）。そして、利用者情報ファイル１１２の「詳細度」項目の内容から詳細度を判定する（ステップＳ９０２）。ここで、「詳細度」項目の内容が「詳細」である場合（ステップＳ９０２：詳細度＝詳細）は、ステップＳ９０３へ、一方、「詳細度」項目の内容が「簡易」である場合（ステップＳ９０２：詳細度＝簡易）は、ステップＳ９０４へ、それぞれ移行する。
【００５５】
つぎに、ステップＳ９０３およびステップＳ９０４においてメディアを判定する。具体的には、利用者情報ファイル１１２の「メディア」項目の内容に基づいて判定をおこなう。そして、各メディアの種類に応じて、ニュースソース・ファイル１１３を用いてＰＣ宛詳細メール編集（ステップＳ９０５）、携帯電話機宛詳細メール編集（ステップＳ９０６）、ＰＣ宛簡易メール編集（ステップＳ９０７）、携帯電話機宛簡易メール編集（ステップＳ９０８）のそれぞれのサマリメールの編集が施される。
【００５６】
具体的には、たとえば、「詳細度＝詳細」の場合は、ニュースソース・ファイル１１３の「題名」、「項目」、「本文」を送信の対象とする。一方、「詳細度＝簡易」の場合は、ニュースソース・ファイル１１３の「題名」、「項目」のみを送信の対象とする。その後、編集されたサマリメールを所定のクライアント装置へ送信する（ステップＳ９０９）。
【００５７】
図１０は、送信プロセス（Ａ）において編集されたＰＣ宛詳細メールの一例を示す説明図である。１００１はサマリメールが送信されたクライアント装置であるパーソナルコンピュータ（ＰＣ）のディスプレイ（大画面）に表示される表示画面の一例である。また、図１１は、送信プロセス（Ａ）において編集された携帯電話機宛簡易メールの一例を示す説明図である。１１０１はサマリメールが送信されたクライアント装置である携帯電話機のディスプレイ（小画面）に表示される表示画面の一例である。
【００５８】
このように、送信プロセス（Ａ）では、利用者情報ファイル１１２から利用者１０１の利用メディア・必要とする情報量を判定して、それらに応じた提供情報（ニュース）をニュースソース・ファイル１１３を用いて作成し、配信するので、クライアント装置の性能やディスプレイのサイズなどによって、表示されるサマリメールの内容を変更することができる。それによって、利用者１０１は効率的にサマリメールの内容を確認することができる。また、利用者は所望のサマリメールの形式を選択することができる。選択された情報は、図１に示した利用者情報ファイル１１２に反映される。このように、利用者１０１の趣味・嗜好や、サマリメールの用途などによって、サマリメールの表示形式を自由に変更することができる。
【００５９】
（返信プロセスの処理内容）
つぎに、図１に示した、利用者端末装置（クライアント装置）における返信プロセス（Ｂ）の処理の内容について説明する。図１２は、返信プロセス（Ｂ）の処理の内容を示すフローチャートである。図１２のフローチャートにおいて、まず、クライアント装置は、サマリメールを受信したか否かを判断する（ステップＳ１２０１）。ここで、サマリメールを受信するのを待って、サマリメールを受信した場合（ステップＳ１２０１：Ｙｅｓ）は、つぎに、受信したサマリメールをクライアント装置のディスプレイに表示する（ステップＳ１２０２）。
【００６０】
つぎに、利用者１０１からの返信の指示があったか、すなわち、後述する返信メールの作成操作がなされたか否かを判断する（ステップＳ１２０３）。そして、利用者１０１からの返信メールの作成操作を待って、返信メールの作成があった場合（ステップＳ１２０３：Ｙｅｓ）は、作成された返信メールを情報提供装置へ送信（返信）し（ステップＳ１２０４）、一連の返信プロセスを終了する。このようにして、利用者は送信されたニュースのうち、詳細情報を配信してほしいニュースまたはホームページに展開してほしいニュースを選択し、配信元である情報提供装置へ依頼することができる。
【００６１】
図１２においては、サマリメールに対する返信プロセスについて説明したが、サマリメールの代わりに、図１に示したメール作成プロセスによって作成され、受信した詳細メールであっても、図１２と同様の返信プロセスによって返信メールを作成することができる。このような処理をすることで、詳細メールで確認した内容について、再度、ＨＰ作成プロセスでホームページを作成させることができる。これは、従来、利用者本人がおこなっていた詳細情報の整理を情報提供装置におこなわせることで、提供情報の整理処理を情報提供装置に効率よく代行させるものである。
【００６２】
図１３は、返信プロセス（Ｂ）における返信メールの作成方法の一例を示す説明図である。図１３において、１３００は利用者１０１のパーソナルコンピュータのディスプレイに表示されたサマリメールの一例である。返信メール作成方法の方式１としては、利用者１０１が、このサマリメールの内容を検討し、必要な部分だけを選択する。あるいは不必要な部分だけを削除する。そして返信メール操作をすることによって、返信メール１３０１を作成し、返信する。
【００６３】
また、返信メール作成方法の方式２としては、利用者１０１が、サマリメールの内容を検討し、必要なニュース情報の「題名」と、「項目」の番号のみを入力した返信メールを作成する。作成された返信メール１３０２には、「項目」の番号「１」が入力され、これによって、「１．ｘｘｘ地区分譲、ｘｘｘ地区で建売一戸建て２０棟、集合住宅５棟を新規販売開始し、・・・・」のニュース情報を選択することができる。
【００６４】
図１４は、返信プロセスにおける返信メールの作成方法の別の一例を示す説明図である。図１４において、１４００は利用者１０１の携帯電話機のディスプレイに表示されたサマリメールの一例である。携帯電話機によって返信メールを作成するには、返信メールの題名にサマリメールの「題名」を入力し（あるいは返信メール作成処理によって自動的に入力され）、つぎに「項目」の番号を入力する。番号の入力に引き続いて、詳細情報をメールにて詳細配信を希望するか、あるいはホームページへ詳細掲示を希望するかを選択（入力）する。
【００６５】
詳細情報をメールにて詳細配信を希望する場合は、返信メール１４０１に示すように番号「１」を入力し、つぎに「−（ハイフン）」を入力し、その後に「ＭＬ」と入力する。一方、ホームページへ詳細掲示を希望する場合は、返信メール１４０２に示すように番号「１」を入力し、つぎに「−（ハイフン）」を入力し、その後に「ＨＰ」と入力する。
【００６６】
また、携帯電話機の返信メールを用いて、選択情報のほか、ニュース情報を分類するためのキーワードを入力することができる。図１５は、返信プロセスにおける返信メールの作成方法の別の一例を示す説明図である。図１５において、サマリメール１４００の返信メール１５０１として、番号「１」を入力し、つぎに「＃（シャープ）」を入力し、その後にキーワードである「新築」と入力する。これによって、「項目」の番号「１」のニュース情報にキーワード「新築」が追加される。キーワードに関する詳細な内容については後述する（図２５、図２６参照）。
【００６７】
このように、返信プロセス（Ｂ）において、サマリメールの返信メールを作成・返信することによって、以下の４種類の処理の中から所望の形態を選択することができる。
▲１▼選択したニュース情報をＨＰにのみ掲載させる。
▲２▼選択したニュース情報を配信情報としてその詳細情報を送信（配信）させる。
▲３▼選択したニュース情報を配信情報としてその詳細情報を送信（配信）させるとともにＨＰに掲載させる。
▲４▼選択したニュース情報を配信情報としてその詳細情報を送信（配信）させて、その配信情報の内容を確認の上でＨＰに掲載させる。
【００６８】
（ＨＰ作成プロセス（ＨＴＭＬ編集）処理内容）
つぎに、図１に示したＨＰ作成プロセス（Ｃ）の処理の内容、特にＨＴＭＬ編集処理（Ｃ）−１の内容について説明する。図１６は、ＨＰ作成プロセス（Ｃ）の処理の内容を示すフローチャートである。また、図１７は、ＨＰ作成プロセスにおけるＨＴＭＬ編集処理（Ｃ）−１の内容を示す説明図である。図１６のフローチャートにおいて、まず、クライアント装置からの返信メールを受信したか否かを判断する（ステップＳ１６０１）。ここで、返信メールは、上述のとおり、メール作成プロセス（Ｄ）によって送信した詳細メールの返信メールであってもよい。
【００６９】
ステップＳ１６０１において、返信メールを受信するのを待って、返信メールを受信した場合（ステップＳ１６０１：Ｙｅｓ）は、つぎに、受信した返信メールの中から選択情報（たとえば、図１７に示す返信メール１７０１）を抽出する（ステップＳ１６０２）。つぎに、選択情報から利用者によって選択されたニュースソースを特定し（ステップＳ１６０３）、特定されたニュースソースを、図１７に示すようにニュースソース・ファイル１１３から読み込む（ステップＳ１６０４）。そして、特定されたニュースソースの読み込みが完了するのを待って、読み込みが完了した場合（ステップＳ１６０５：Ｙｅｓ）は、つぎに、テキスト−ｈｔｍｌ変換処理をおこなうことによってＨＴＭＬ形式のコンテンツの作成をおこなう（ステップＳ１６０６）。
【００７０】
つぎに、作成されたコンテンツを登録するサイトに関する情報（サイト情報）を利用者情報ファイル１１２から抽出する（ステップＳ１６０７）。ただし、作成されたコンテンツを新しいサイトに登録する場合は、図示を省略するサイト設定部によって新たに設定されたサイト情報を抽出することになる。そして、抽出されたサイト情報に基づいて所定のサイトに作成されたコンテンツを登録する（ステップＳ１６０８）。登録されたコンテンツは、図１に示すホームページ１２０の利用者エリア（ニュースの詳細）に、図１７に示すブラウザ画面１２１の内容のように表示される。
【００７１】
さらに、必要に応じて、サイト情報をコンテンツ装置へ送信する（ステップＳ１６０９）。サイト情報が送信される送信先のコンテンツ装置は、返信メールを送信した送信元のコンテンツ装置のほか、作成されたコンテンツに対して関連のあるコンテンツ装置である。関連のあるコンテンツ装置とは、たとえば、利用者がコンテンツ装置（ＰＣなど）とは別のメディアのコンテンツ装置（携帯電話機など）をあらかじめ登録していた場合である。送信されるサイト情報の内容は、たとえば『２００１年６月１２日午後２時２０分に送信された返信メールに基づくホームページを作成・登録しました。ホームページが登録されているサイトは、「http://www.***.fujitsu.ne.jp」です。ホームページの登録期間は２ヶ月間です。』というメッセージを含んでいる。
【００７２】
図１８および図１９は、ＨＰ作成プロセスによって作成されたホームページの表示レイアウトの一例を示す説明図である。ここで、図１８はニュース別表示の一例であり、図１９はキーワード別表示の一例である。キーワード追加および表示の切り換えの詳細な内容については後述する。
【００７３】
（ＨＰ作成プロセス（広告選択）処理内容）
つぎに、図１に示したＨＰ作成プロセス（Ｃ）の処理の内容、特に広告選択処理（Ｃ）−２の内容について説明する。図２０は、ＨＰ作成プロセス（Ｃ）、特に広告選択処理（Ｃ）−２の処理の内容を示すフローチャートである。また、図２１は、広告選択処理（Ｃ）−２の内容を示す説明図である。図２０のフローチャートにおいてステップＳ２００１〜Ｓ２００３の各ステップは、図１６に示したフローチャートのステップＳ１６０１〜Ｓ１６０３の各ステップと同様の内容なので、その説明は省略する。
【００７４】
つぎに、特定されたニュースソースに関する情報（ニュースカテゴリ）を、図２１に示すようにニュースカテゴリ・ファイル１１４から読み込む（ステップＳ２００４）。そして、読み込まれたニュースカテゴリ（図２１における「住宅」）と、広告情報ファイル１１１に格納されているカテゴリとが一致（あるいは類似）するか否か、換言すると、カテゴリ「住宅」が広告情報ファイル１１１の「カテゴリ」項目にあるか（あるいは、必ずしも一致しなくとも、カテゴリ「住宅」にその意味が類似するカテゴリが広告情報ファイル１１１の「カテゴリ」項目にあるか）否かを判断する（ステップＳ２００５）。
【００７５】
ここで、読み込まれたニュースカテゴリと、広告情報ファイル１１１に格納されているカテゴリとを１対１で対応させて、一致（類似）するか否かを判断するほか、複数のニュースカテゴリと、一つの広告情報ファイル１１１に格納されているカテゴリとを対応させて、一致するか（あるいは、必ずしも一致しなくても、両者のカテゴリに意味が類似するか）否かを判断するようにしてもよい。通常、広告情報は、複数のニュース情報に対して、それらのニュース情報の表示領域の近傍領域に一つ掲載される場合が多いからである。具体的には、第１のニュースカテゴリが「Ｘ」で、第２のニュースカテゴリが「Ｙ」の場合に、広告情報ファイル１１１に格納されているカテゴリが「Ｘ」および「Ｙ」の両方のカテゴリを格納している場合のみ、一致すると判断してもよい。
【００７６】
ここで、カテゴリが一致しない場合、すなわち一致するカテゴリが広告情報ファイル１１１に存在しない場合（ステップＳ２００５：Ｎｏ）は、何もせず広告選択処理を終了する。一方、カテゴリが一致する場合（ステップＳ２００５：Ｙｅｓ）は、広告情報ファイル１１１から該当する広告情報を選択し、選択した広告情報をＨＴＭＬ化処理して、図１６のステップＳ１６０６において作成したコンテンツに追加する（ステップＳ２００６）。
【００７７】
具体的には、図２１において示すように、ニュースカテゴリ・ファイル１１４（図５参照）から、返信メールからカテゴリが「住宅」であることが判断できる。そして、広告情報ファイル１１１（図２参照）から、カテゴリ「住宅」に一致するカテゴリを有する広告情報が、「Ａ社」のものであることが判断できる。この「Ａ社」の広告情報「a_cm01.jpg」を、２１０１に示すように、ＨＴＭＬ化処理すると、２１０２に示すようなブラウザ画面表示となる。この表示内容を、図１に示すホームページ１２０の広告用エリア１２２に表示する。
【００７８】
図２０に戻って、ステップＳ２００７において、選択された広告情報に対してホームページへの掲載回数が１回増えたことを示すために、広告情報ごとに設けられたカウンタ（図８に示す計数部８１２）を＋１だけＵＰする（ステップＳ２００７）。その後、図１６に示した、ステップＳ１６０７へ移行することになる。
【００７９】
図２２は、ＨＰ作成プロセスによって作成されたホームページの表示レイアウトの一例を示す説明図である。ＨＰ作成プロセス（Ｃ）の処理（特に広告選択処理（Ｃ）−２）によって作成されたホームページである。図２２において、利用者用エリア２２０１にニュースの詳細が表示されるとともに、広告用エリア２２０２に広告情報が表示される。
【００８０】
ここで、ニュースの内容（住宅関連情報）に基づいてその内容に関連する広告情報（住宅プレゼントに関する情報）がニュース表示領域２２１１の広告用エリア２２０２内の近傍領域２２２１に表示される。「ガーデニング」に関連する情報に対しても、その表示領域２２１２の広告用エリア２２０２内の近傍領域２２２２に「ウッドデッキ販売」に関する広告情報が表示される。このように、ニュースの内容と広告の内容を関連付けして、同一ページに表示することによって、利用者に対する利便性を向上させるとともに、広告主の広告効果を向上させることができる。
【００８１】
（メール作成プロセスの処理内容）
つぎに、図１に示したメール作成プロセス（Ｄ）の処理の内容について説明する。図２３は、メール作成プロセス（Ｄ）の処理の内容を示すフローチャートである。また、図２４は、メール作成プロセス（Ｄ）（テキスト編集・広告選択）の内容を示す説明図である。図２３のフローチャートにおいて、ステップＳ２３０１〜Ｓ２３０４までの各ステップは、図１６に示したフローチャートのステップＳ１６０１〜Ｓ１６０４までの各ステップと同一の内容なので、その説明は省略する。なお、ステップＳ２３０４のニュースソース読み込みは、図２４に示したニュースソース・ファイル１１３からおこなわれる。そして、読み込まれたニュースソースがテキスト化されていない場合は、テキスト化するようにテキスト編集する（ステップＳ２３０５）。
【００８２】
つぎに、詳細メールに広告を添付するか否かを判断する（ステップＳ２３０６）。広告なしメールの場合（ステップＳ２３０６：Ｎｏ）は、何もせずにステップＳ２３１１へ移行する。一方、広告を添付する場合、すなわち広告ありメールの場合（ステップＳ２３０６：Ｙｅｓ）は、つぎに、特定されたニュースソースに関する情報（ニュースカテゴリ）を、図２４に示すようにニュースカテゴリ・ファイル１１４から読み込む（ステップＳ２３０７）。そして、読み込まれたニュースカテゴリ（図２４における「住宅」）と、広告情報ファイル１１１に格納されているカテゴリと一致するか否か、換言すると、カテゴリ「住宅」が広告情報ファイル１１１の「カテゴリ」項目にあるか否かを判断する（ステップＳ２３０８）。
【００８３】
ここで、カテゴリが一致しない場合、すなわち一致するカテゴリが広告情報ファイル１１１に存在しない場合（ステップＳ２３０８：Ｎｏ）は、何もせずステップＳ２３１１へ移行する。この場合は広告は埋め込まれない。一方、カテゴリが一致する場合（ステップＳ２３０８：Ｙｅｓ）は、広告情報ファイル１１１から該当する広告情報を選択し、選択した広告情報をテキスト化処理する。具体的には、図２４において示すように、ニュースカテゴリ・ファイル１１４（図５参照）から、返信メールからカテゴリが「住宅」であることが判断できる。そして、広告情報ファイル１１１（図２参照）から、カテゴリ「住宅」に一致するカテゴリを有する広告情報が、「Ａ社」のものであることが判断できる。この「Ａ社」の広告情報をテキスト化処理すると、２４０１に示すようなブラウザ画面表示となる。この表示内容を、図１に示すメール１２３に表示する。
【００８４】
図２３に戻って、ステップＳ２３１０において、選択された広告情報に対してホームページへの掲載回数が１回増えたことを示すために、広告情報ごとに設けられたカウンタ（図８に示す計数部８１２）を＋１だけＵＰする（ステップＳ２３１０）。その後、ステップＳ２３１１へ移行する。ステップＳ２３１１では、作成されたメールをクライアント装置へ送信し、一連の処理を終了する。
【００８５】
（キーワード追加処理の内容）
つぎに、キーワードの追加処理の内容について説明する。図２５は、この発明の本実施の形態にかかるキーワード追加処理の内容を示すフローチャートである。図２５のフローチャートにおいて、まず、利用者１０１側（クライアント装置）において、キーワードが追加されたか否かを判断する（ステップＳ２５０１）。
【００８６】
キーワードは、利用者が、図１８、図１９または図２２において、キーワード入力欄１８０１，１９０１，２２０１に、キーボードなどを用いて文字を入力することによって追加することができる。また、頻繁に使用されるキーワードをあらかじめ登録し、また、すでに登録されているキーワードを、図示を省略するプルダウンメニューなどによってを表示し、マウスなどのポインティングデバイスを用いて所望のキーワードを選択することで、そのキーワードを追加することができる。また、携帯電話機などの場合は、図１５に示したように、返信メールにてキーワードを追加することができる。
【００８７】
ステップＳ２５０１において、キーワードが追加されるのを待って、キーワードが追加された場合（ステップＳ２５０１：Ｙｅｓ）は、追加されたキーワードに関するキーワード情報を仲介業者１００側（情報提供装置）へ送信する（ステップＳ２５０２）。
【００８８】
仲介業者１００側ではキーワード情報を受信するのを待って（ステップＳ２５５１）、キーワード情報を受信した場合（ステップＳ２５５１：Ｙｅｓ）は、受信したキーワード情報に基づいて、利用者別ニュースカテゴリ・ファイル１１５の「キーワード」項目に、追加されたキーワードを追加（格納）し（ステップＳ２５５２）、処理を終了する。これによって、キーワードが追加されることになる。
【００８９】
キーワードは通常一つのみ登録することができ、すでに登録されたキーワードとは別のキーワードの追加処理がなされた場合は、新たなキーワードが現在のキーワードに上書きされて登録される。また、キーワードは複数個登録できるようにしてもよい。その場合には、図示は省略するが、キーワードの削除、変更などの編集操作およびその編集操作にともなうキーワードの編集処理をおこなうことができるようにしてもよい。
【００９０】
（画面再表示処理）
つぎに、表示画面の再表示処理の内容について説明する。図２６は、この発明の本実施の形態にかかる画面再表示処理の内容を示すフローチャートである。図２６のフローチャートにおいて、まず、利用者１０１側（クライアント装置）で、利用者によるキーワード順表示指示があったか否かを判断する（ステップＳ２６０１）。
【００９１】
表示指示については、たとえば、図１８に示すように、表示画面の下側に、表示指示するための表示指示ボタン１８０２〜１８０４が表示されている。また、表示指示ボタン１８０２〜１８０４は、ボタン自体の色の変化（反転など）によって現在どのような表示形態となっているかを示している。図１８では、「ニュース別表示」ボタン１８０２のボタンの色が反転していることを示しており、図１８の表示画面が、ニュース別にソートされていることを示している。
【００９２】
図１８に示すようにニュース別にソートされて表示された状態で、「キーワード別表示」ボタン１８０４をマウスなどを用いて押下することによって、キーワード順表示指示がおこなわれる。
【００９３】
ステップＳ２６０１において、キーワード順表示指示がなされるのを待って、キーワード順表示指示がなされた場合（ステップＳ２６０１：Ｙｅｓ）は、表示指示情報を仲介業者１００側（情報提供装置）へ送信する（ステップＳ２６０２）。
【００９４】
仲介業者１００側では、表示指示情報を受信するのを待って（ステップＳ２６５１）、表示指示情報を受信した場合（ステップＳ２６５１：Ｙｅｓ）は、ＨＰ作成プロセス（Ｃ）によって作成し、図８に示した登録部８０７によって登録された登録情報（ホームページ）を抽出する（ステップＳ２６５２）。つぎに、受信した表示指示情報に基づいて、利用者別ニュースカテゴリ・ファイル１１５の「キーワード」項目に格納されたキーワードを抽出し（ステップＳ２６５３）、抽出したキーワードに基づいて、ステップＳ２６５２で抽出したホームページの内容をソートする（ステップＳ２６５４）。
【００９５】
つぎに、詳細メールに広告を添付するか否かを判断する（ステップＳ２６５５）。広告を添付しない場合（ステップＳ２６５５：Ｎｏ）は、何もせずにステップＳ２６５９へ移行する。一方、広告を添付する場合（ステップＳ２６５５：Ｙｅｓ）は、つぎに、特定されたニュースソースに関する情報（ニュースカテゴリ）を、ニュースカテゴリ・ファイル１１４または、利用者別ニュースカテゴリ・ファイル１１５から読み込む（ステップＳ２６５６）。そして、読み込まれたニュースカテゴリと、広告情報ファイル１１１に格納されているカテゴリと一致する（あるいは類似する）か否か、換言すると、上記読み込まれたカテゴリが広告情報ファイル１１１の「カテゴリ」項目にあるか否かを判断する（ステップＳ２６５７）。
【００９６】
ここで、カテゴリが一致しない場合、すなわち一致するカテゴリが広告情報ファイル１１１に存在しない場合（ステップＳ２６５７：Ｎｏ）は、何もせずに、ステップＳ２６５９へ移行する。一方、カテゴリが一致する場合（ステップＳ２６５７：Ｙｅｓ）は、広告情報ファイル１１１から該当する広告情報を選択し、選択した広告情報をＨＴＭＬ化処理し（ステップＳ２６５８）、ステップＳ２６５９へ移行する。ステップＳ２６５９では、図１６のフローチャートにおいて示したステップＳ１６０８の登録処理と同様の登録処理をおこなう。これによって、仲介業者１００側の一連の処理は終了する。
【００９７】
つぎに、利用者１０１側において、再読み込みをおこなう（ステップＳ２６０３）。それによって、ステップＳ２６５９で登録処理された登録情報を受信する（ステップＳ２６０４）。その後、再表示処理をおこない（ステップＳ２６０５）、一連の処理を終了する。図１９に示されたものが再表示処理された表示画像の一例である。
【００９８】
上述のように、ニュース情報の表示の順序が変わることで、広告情報の表示位置も変わる。また通常、広告情報は、複数のニュース情報に対してそれらのニュース情報の表示領域の近傍領域に一つ掲載される場合が多い。したがって、ニュース情報の表示の順序が変わることでニュース情報の組み合わせが異なった場合には、それにともなって、選択される広告情報も異なってくる。つまり、再表示の内容によっては、それまで選択されていた広告情報が選択されなくなり、反対に、それまで選択されていなかった広告情報が選択されることになる場合がある。
【００９９】
（更新処理の内容）
つぎに、ニュースソース・広告情報の更新処理の内容について説明する。図２７は、この発明の本実施の形態にかかる更新要求処理の内容を示すフローチャートである。図２７のフローチャートにおいて、まず、利用者１０１側（クライアント装置）で、利用者による更新要求があったか否かを判断する（ステップＳ２７０１）。
【０１００】
更新要求については、図示を省略するが、たとえば、クライアント装置の表示画面上にニュースごとに更新するか否かの指示ボタンを表示し、その指示ボタンの押下によって更新要求があったと判断する。
【０１０１】
ステップＳ２７０１において、更新要求があるのを待って、更新要求があった場合（ステップＳ２７０１：Ｙｅｓ）は、更新要求に関する情報（更新要求情報）を仲介業者１００側（情報提供装置）へ送信する（ステップＳ２７０２）。
【０１０２】
仲介業者１００側では更新要求情報を受信するのを待って（ステップＳ２７５１）、更新要求情報を受信した場合（ステップＳ２７５１：Ｙｅｓ）は、更新要否の設定をおこない（ステップＳ２７５２）、図１に示した利用者別ニュースカテゴリ・ファイルの「更新要否」項目を更新する（ステップＳ２７５３）。一旦、「更新要」にしたものを「更新不要」に変更する場合も、上記処理と同様の処理をおこなうことによっておこなうことができる。
【０１０３】
図２８は、この発明の本実施の形態にかかる更新処理の内容を示すフローチャートである。図２８のフローチャートにおいて、図８に示した情報更新部８１４は、まず、ニュースの収集をおこなう（ステップＳ２８０１）。そして、収集したニュースが以前に発行したニュースの更新版であるか否かを判断する（ステップＳ２８０２）。ここで、更新版でない場合（ステップＳ２８０２：Ｎｏ）は、処理を終了する。
【０１０４】
一方、ステップＳ２８０２において、以前に発行したニュースの更新版である場合（ステップＳ２８０２：Ｙｅｓ）は、つぎに、関連Ｎｏ．を設定し（ステップＳ２８０３）、ニュースカテゴリ・ファイル１１４の「関連Ｎｏ．」項目を更新する（ステップＳ２８０４）。そして、ニュースカテゴリ・ファイル１１４の「関連Ｎｏ．」項目の内容と利用者別ニュースカテゴリ・ファイル１１５の「Ｎｏ．」項目の内容を比較し、両者が一致するか否かを判断する（ステップＳ２８０５）。
【０１０５】
ステップＳ２８０５において、両者が一致しない場合（ステップＳ２８０５：Ｎｏ）は、処理を終了する。一方、両者が一致する場合（ステップＳ２８０５：Ｙｅｓ）は、つぎに、利用者別ニュースカテゴリ・ファイル１１５の「更新要否」項目が「更新要」となっているか否かを判断する（ステップＳ２８０６）。ここで、「更新不要」の場合（ステップＳ２８０６：Ｎｏ）は、処理を終了する。一方、「更新要」の場合（ステップＳ２８０６：Ｙｅｓ）は、ＨＴＭＬ編集処理をおこない（ステップＳ２８０７）、ＨＴＭＬ編集処理をおこなった内容で登録処理をおこなう（ステップＳ２８０８）。
【０１０６】
つぎに、図８に示した再作成情報送信部８１５によって、更新通知メールがコンテンツ装置へ送信され（ステップＳ２８０９）、一連の処理を終了する。更新通知メールは、たとえば、『このニュースは２００１年６月１２日午前１０時（前回）、２００１年６月９日午後１０時（前々回）に更新されました。』という内容によって、更新した旨およびその日時に関する情報を含んでいる。また、複数回更新があった場合には、更新があったごとの日時情報を含んでいる。また、更新するのは、ニュースだけでなく、広告情報であってもよい。広告情報の場合は、更新通知メールの送信（ステップＳ２８０９）は不要である。
【０１０７】
このように、ＨＰに掲載依頼をしたニュース情報を内容を更新させることができる。したがって、ＨＰ掲載依頼をしてから所定の時間が経過した場合であっても、掲載されたニュースの内容を十分活用することができる。また、あえて更新させないようにすることもでき、過去の情報が新しい情報に書き換えられて参照できなくなることを防止することができる。
【０１０８】
（課金情報作成処理の内容）
つぎに、この発明の本実施の形態にかかる課金情報作成処理の内容について説明する。図２９この発明の本実施の形態にかかる課金情報作成処理の内容を示すフローチャートである。図２９のフローチャートにおいて、図８の示した課金情報作成部８１３は、図示を省略するタイマーを備えており、あらかじめ定められた所定の日時になったか否かを判断する（ステップＳ２９０１）。
【０１０９】
所定の日時とは、毎月末の所定の日時であったり、また、所定の時間隔（たとえば１０日ごとなど）であってもよい。ステップＳ２９０１において、所定の日時になるのを待って、所定の日時になった場合（ステップＳ２９０１：Ｙｅｓ）は、図８に示した計数部８１２からカウンタ情報を抽出する（ステップＳ２９０２）。そして、図８に示した課金情報作成部８１３は、課金情報を作成し（ステップＳ２９０３）、作成した課金情報の出力処理をおこない（ステップＳ２９０４）、処理を終了する。
【０１１０】
（システム構成の内容）
つぎに、この発明の本実施の形態にかかる情報提供方法を実現するシステム構成の内容について説明する。図３０は、この発明の本実施の形態にかかる情報提供方法を実現するシステムのシステム構成の一例を示す説明図である。図３０において、仲介業者（ニュース配信元）１００は、広告管理用のＤＢサーバ３００１と、利用者管理用ＤＢサーバ３００２と、ニュース管理用ＤＢサーバ３００３と、メールサーバ３００４と、ＡＰＬサーバ３００５と、Ｗｅｂサーバ３００６とが、ＬＡＮやインターネットなどのネットワーク３０００によって互いに接続されている。
【０１１１】
また、広告管理用ＤＢサーバ３００１は広告ＤＢ３０１１を管理する。同様に、利用者管理用ＤＢサーバ３００２は利用者ＤＢ３０１２を管理し、ニュース管理用ＤＢサーバ３００３はニュースＤＢ３０１３を管理し、Ｗｅｂサーバ３００６はＷｅｂ（データ）３０１６を管理する。
【０１１２】
図１と比較した場合に、広告情報ファイル１１１が広告ＤＢ３０１１に対応し、利用者情報ファイル１１２が利用者ＤＢ３０１２に対応し、ニュースソース・ファイル１１３がニュースＤＢ３０１３に対応し、ニュースカテゴリ・ファイル１１４および利用者別ニュースカテゴリ・ファイル１１５が利用者ＤＢ３０１２あるいはニュースＤＢ３０１３に対応する。
【０１１３】
また、送信プロセス（Ａ）がメールサーバ３００４に対応し、ＨＰ作成プロセス（Ｃ）およびメール作成プロセス（Ｄ）は、ＡＰＬサーバ３００５に対応する。その他、ＡＰＬサーバ３００５は、返信メールの内容にしたがって各種処理をおこなう。
【０１１４】
また、図８と比較した場合に、提供情報（ニュース）データベース８０１がニュースＤＢ３０１３に対応し、集約情報生成部８０２がメールサーバ３００４またはＡＰＬサーバ３００５に対応する。集約情報送信部８０３、選択情報受信部８０４、提供情報送信部８０８、サイト情報送信部８０９、再作成情報送信部８１５は、メールサーバ３００４に対応する。提供情報抽出部８０５はニュース管理用ＤＢサーバ３００３に対応する。
【０１１５】
また、コンテンツ（ホームページ）作成部８０６はＡＰＬサーバ３００５に対応し、登録部８０７はＷｅｂサーバ３００６に対応する。広告情報抽出部８１１は広告管理用ＤＢサーバ３００１に対応する。計数部８１２、課金情報作成部８１３はＡＰＬサーバ３００５に対応する。情報更新部８１４は広告管理用ＤＢサーバ３００１およびニュース管理用ＤＢサーバ３００３に対応する。
【０１１６】
以上説明したように、本実施の形態によれば、提供情報（ニュースソース）の全部または一部を集約した集約情報（サマリメール）を利用者１０１のクライアント装置へ送信し、集約情報によって集約された複数の提供情報の中から選択された提供情報に関する選択情報（返信メール）を受信し、受信された選択情報に基づいて、所定の提供情報のみを抽出し、抽出された提供情報を用いてコンテンツ（ホームページ）を作成し、作成されたコンテンツを所定のサイトに登録するので、利用者１０１が、送信されてきた集約情報の中から所望の提供情報を選択するだけで、所望の提供情報（および広告情報）のみからなるホームページが自動作成される。したがって、利用者は、端末装置に限定されず、どこからでも所望のニュース情報をウェブブラウザで閲覧することが可能になる。
【０１１７】
また、本実施の形態によれば、提供情報（ニュース情報）の全部または一部を集約した集約情報（サマリメール）を利用者１０１のクライアント装置へ送信し、集約情報によって集約された複数の提供情報の中から選択された提供情報（返信メール）に関する選択情報を受信し、受信された選択情報に基づいて、所定の提供情報のみを抽出し、抽出された提供情報（詳細メール）を利用者１０１のクライアント装置へ送信するので、利用者１０１が、送信されてきた集約情報の中から所望の提供情報を選択するだけで、所望の提供情報（および広告情報）のみからなるメールが送信される。
【０１１８】
また、本実施の形態によれば、ニュース情報の全部または一部を集約した集約情報（サマリメール）を利用者１０１のクライアント装置へ送信し、集約情報によって集約された複数の提供情報の中から選択された提供情報に関する第１の選択情報（第１の返信メール）を受信し、受信された第１の選択情報に基づいて、所定の提供情報のみを抽出し、抽出された提供情報（詳細メール）を利用者１０１のクライアント装置へ送信し、送信された提供情報の中から選択された提供情報に関する第２の選択情報（第２の返信メール）を受信し、受信された第２の選択情報によって選択された提供情報を用いてコンテンツ（ホームページ）を作成し、作成されたコンテンツを所定のサイトに登録するので、利用者１０１は詳細情報を確認したのち、その詳細情報を選択するだけで、その詳細情報（および広告情報）のみからなるホームページが自動作成される。
【０１１９】
また、本実施の形態によれば、抽出された提供情報に基づいて、所定の広告情報のみを抽出し、抽出された提供情報および抽出された広告情報を用いてコンテンツ（ホームページ）を作成するため、利用者１０１の所望の提供情報に基づく広告情報が自動選択され、利用者１０１の趣味・嗜好に合致した内容の広告情報のみが掲載されるとともに、広告主１０２にとっては効果的に広告を掲載させることができる。
【０１２０】
また、本実施の形態によれば、広告情報が抽出された回数または広告情報がコンテンツ（ホームページ）の作成に用いられた回数を広告情報ごとに計数し、計数された回数に基づいて課金情報を作成するため、広告効果に基づく適正な課金をおこなうことができる。
【０１２１】
また、本実施の形態によれば、更新された情報が、抽出された提供情報または抽出された広告情報である場合に、更新された情報を用いて前記コンテンツを再作成するため、最新の情報を常に確認することができ、また、その旨を利用者１０１へ通知することができる。
【０１２２】
なお、本実施の形態においては、提供される情報（コンテンツ）としてニュースをその一例として説明したが、提供される情報はニュース情報に限定されない。また、提供されるは文字情報のほか、画像情報、映像情報、音声情報などのあらゆるコンテンツおよびそれらのコンテンツが融合されたものを含むものである。
【０１２３】
また、本実施の形態における情報提供方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ（ハードディスク）、ＦＤ（フロッピーディスク）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【０１２４】
（付記１）複数の提供情報を格納する提供情報データベースを備えた、または前記提供情報データベースとネットワークで接続された情報提供装置であって、
前記提供情報データベースに格納された提供情報の全部または一部を集約した集約情報を所定のクライアント装置へ送信する集約情報送信手段と、
前記集約情報によって集約された複数の提供情報の中から選択された提供情報に関する選択情報を受信する選択情報受信手段と、
前記選択情報受信手段によって受信された選択情報に基づいて、前記提供情報データベースから所定の提供情報のみを抽出する提供情報抽出手段と、
前記提供情報抽出手段によって抽出された提供情報を用いてコンテンツを作成するコンテンツ作成手段と、
前記コンテンツ作成手段によって作成されたコンテンツを所定のサイトに登録する登録手段と、
を備えたことを特徴とする情報提供装置。
【０１２５】
（付記２）複数の提供情報を格納する提供情報データベースを備えた、または前記提供情報データベースとネットワークで接続された情報提供装置であって、
前記提供情報データベースに格納された提供情報の全部または一部を集約した集約情報を所定のクライアント装置へ送信する集約情報送信手段と、
前記集約情報によって集約された複数の提供情報の中から選択された提供情報に関する第１の選択情報を受信する第１の選択情報受信手段と、
前記第１の選択情報受信手段によって受信された第１の選択情報に基づいて、前記提供情報データベースから所定の提供情報のみを抽出する提供情報抽出手段と、
前記提供情報抽出手段によって抽出された提供情報を前記所定のクライアント装置へ送信する提供情報送信手段と、
前記提供情報送信手段によって送信された提供情報の中から選択された提供情報に関する第２の選択情報を受信する第２の選択情報受信手段と、
前記第２の選択情報受信手段によって受信された第２の選択情報によって選択された提供情報を用いてコンテンツを作成するコンテンツ作成手段と、
前記コンテンツ作成手段によって作成されたコンテンツを所定のサイトに登録する登録手段と、
を備えたことを特徴とする情報提供装置。
【０１２６】
（付記３）さらに、広告情報を格納する広告情報データベースを備え、または前記広告情報データベースとネットワークで接続され、
前記提供情報抽出手段によって抽出された提供情報に基づいて、前記広告情報データベースから所定の広告情報のみを抽出する広告情報抽出手段を備え、
前記コンテンツ作成手段は、前記提供情報抽出手段によって抽出された提供情報および前記広告情報抽出手段によって抽出された広告情報を用いてコンテンツを作成することを特徴とする付記１または２に記載の情報提供装置。
【０１２７】
（付記４）前記広告情報抽出手段によって広告情報が前記広告情報データベースから抽出された回数または前記コンテンツ作成手段によって広告情報が前記コンテンツの作成に用いられた回数を前記広告情報ごとに計数する計数手段と、
前記計数手段によって計数された回数に基づいて、課金情報を作成する課金情報作成手段と、
を備えたことを特徴とする付記３に記載の情報提供装置。
【０１２８】
（付記５）前記登録手段によって登録されたサイトに関する情報を前記所定のクライアント装置へ送信するサイト情報送信手段を備えたことを特徴とする付記１〜４のいずれか一つに記載の情報提供装置。
【０１２９】
（付記６）前記提供情報データベースに格納された提供情報および前記広告情報データベースに格納された広告情報の少なくともいずれか一つの情報を更新する情報更新手段を備え、
前記コンテンツ作成手段は、前記情報更新手段によって更新された情報が、前記提供情報抽出手段によって抽出された提供情報または前記広告情報抽出手段によって抽出された広告情報である場合に、前記更新された情報を用いて前記コンテンツを再作成することを特徴とする付記１〜５のいずれか一つに記載の情報提供装置。
【０１３０】
（付記７）前記コンテンツ作成手段によって前記コンテンツが再作成された場合に、前記再作成に関する情報を前記所定のクライアント装置へ送信する再作成情報送信手段を備えたことを特徴とする付記６に記載の情報提供装置。
【０１３１】
（付記８）複数の提供情報を格納する提供情報データベースを備えた、または前記提供情報データベースとネットワークで接続された情報提供装置であって、
前記提供情報データベースに格納された提供情報の全部または一部を集約した集約情報を所定のクライアント装置へ送信する集約情報送信手段と、
前記集約情報によって集約された複数の提供情報の中から選択された提供情報に関する選択情報を受信する選択情報受信手段と、
前記選択情報受信手段によって受信された選択情報に基づいて、前記提供情報データベースから所定の提供情報のみを抽出する提供情報抽出手段と、
前記提供情報抽出手段によって抽出された提供情報を前記所定のクライアント装置へ送信する提供情報送信手段と、
を備えたことを特徴とする情報提供装置。
【０１３２】
（付記９）複数の提供情報の全部または一部を集約した集約情報を所定の利用者へ送信する集約情報送信工程と、
前記集約情報によって集約された複数の提供情報の中から前記利用者によって選択された提供情報に関する選択情報を受信する選択情報受信工程と、
前記選択情報受信工程によって受信された選択情報に基づいて、所定の提供情報のみを抽出する提供情報抽出工程と、
前記提供情報抽出工程によって抽出された提供情報を用いてコンテンツを作成するコンテンツ作成工程と、
前記コンテンツ作成工程によって作成されたコンテンツを所定のサイトに登録する登録工程と、
を含んだことを特徴とする情報提供方法。
【０１３３】
（付記１０）複数の提供情報の全部または一部を集約した集約情報を所定の利用者へ送信する集約情報送信工程と、
前記集約情報によって集約された複数の提供情報の中から前記利用者によって選択された提供情報に関する選択情報を受信する第１の選択情報受信工程と、
前記第１の選択情報受信工程によって受信された第１の選択情報に基づいて、所定の提供情報のみを抽出する提供情報抽出工程と、
前記提供情報抽出工程によって抽出された提供情報を前記利用者へ送信する提供情報送信工程と、
前記提供情報送信工程によって送信された提供情報の中から前記利用者によって選択された提供情報に関する第２の選択情報を受信する第２の選択情報受信工程と、
前記第２の選択情報受信工程によって受信された第２の選択情報によって選択された提供情報を用いてコンテンツを作成するコンテンツ作成工程と、
前記コンテンツ作成工程によって作成されたコンテンツを所定のサイトに登録する登録工程と、
を含んだことを特徴とする情報提供方法。
【０１３４】
（付記１１）さらに、前記提供情報抽出工程によって抽出された提供情報に基づいて、所定の広告情報のみを抽出する広告情報抽出工程を含み、
前記コンテンツ作成工程は、前記提供情報抽出工程によって抽出された提供情報および前記広告情報抽出工程によって抽出された広告情報を用いてコンテンツを作成することを特徴とする付記９または１０に記載の情報提供方法。
【０１３５】
（付記１２）前記コンテンツ作成工程によって作成されたコンテンツの表示順序を変更する表示順序変更情報を受信する表示順序変更情報受信工程を含み、
前記広告情報抽出工程は、前記表示順序変更情報受信工程によって受信された表示順序変更情報に基づいて、所定の広告情報のみを抽出することを特徴とする付記１１に記載の情報提供方法。
【０１３６】
（付記１３）前記広告情報抽出工程によって広告情報が抽出された回数または前記コンテンツ作成工程によって広告情報が前記コンテンツの作成に用いられた回数を前記広告情報ごとに計数する計数工程と、
前記計数工程によって計数された回数に基づいて、課金情報を作成する課金情報作成工程と、
を含んだことを特徴とする付記１１または１２に記載の情報提供方法。
【０１３７】
（付記１４）前記登録工程によって登録されたサイトに関する情報を前記利用者へ送信するサイト情報送信工程を含んだことを特徴とする付記９〜１３のいずれか一つに記載の情報提供方法。
【０１３８】
（付記１５）前記コンテンツ作成工程は、前記情報更新工程によって更新された情報が、前記提供情報抽出工程によって抽出された提供情報または前記広告情報抽出工程によって抽出された広告情報である場合に、前記更新された情報を用いて前記コンテンツを再作成することを特徴とする付記９〜１４のいずれか一つに記載の情報提供方法。
【０１３９】
（付記１６）前記コンテンツ作成工程によって前記コンテンツが再作成された場合に、前記再作成に関する情報を前記利用者へ送信する再作成情報送信工程を含んだことを特徴とする付記１５に記載の情報提供方法。
【０１４０】
（付記１７）複数の提供情報の全部または一部を集約した集約情報を所定の利用者へ送信する集約情報送信工程と、
前記集約情報によって集約された複数の提供情報の中から前記利用者によって選択された提供情報に関する選択情報を受信する選択情報受信工程と、
前記選択情報受信工程によって受信された選択情報に基づいて、所定の提供情報のみを抽出する提供情報抽出工程と、
前記提供情報抽出工程によって抽出された提供情報を前記利用者へ送信する提供情報送信工程と、
を含んだことを特徴とする情報提供方法。
【０１４１】
（付記１８）複数の提供情報の全部または一部を集約した集約情報を所定のクライアント装置へ送信させる集約情報送信工程と、
前記集約情報によって集約された複数の提供情報の中から選択された提供情報に関する選択情報を受信させる選択情報受信工程と、
前記選択情報受信工程によって受信された選択情報に基づいて、所定の提供情報のみを抽出させる提供情報抽出工程と、
前記提供情報抽出工程によって抽出された提供情報を用いてコンテンツを作成させるコンテンツ作成工程と、
前記コンテンツ作成工程によって作成されたコンテンツを所定のサイトに登録させる登録工程と、
をコンピュータに実行させることを特徴とする情報提供プログラム。
【０１４２】
（付記１９）複数の提供情報の全部または一部を集約した集約情報を所定のクライアント装置へ送信させる集約情報送信工程と、
前記集約情報によって集約された複数の提供情報の中から選択された提供情報に関する選択情報を受信させる第１の選択情報受信工程と、
前記第１の選択情報受信工程によって受信された第１の選択情報に基づいて、所定の提供情報のみを抽出させる提供情報抽出工程と、
前記提供情報抽出工程によって抽出された提供情報を前記クライアント装置へ送信させる提供情報送信工程と、
前記提供情報送信工程によって送信された提供情報の中から選択された提供情報に関する第２の選択情報を受信させる第２の選択情報受信工程と、
前記第２の選択情報受信工程によって受信された第２の選択情報によって選択された提供情報を用いてコンテンツを作成させるコンテンツ作成工程と、
前記コンテンツ作成工程によって作成されたコンテンツを所定のサイトに登録させる登録工程と、
をコンピュータに実行させることを特徴とする情報提供プログラム。
【０１４３】
（付記２０）さらに、前記提供情報抽出工程によって抽出された提供情報に基づいて、所定の広告情報のみを抽出させる広告情報抽出工程をコンピュータに実行させ、
前記コンテンツ作成工程は、前記提供情報抽出工程によって抽出された提供情報および前記広告情報抽出工程によって抽出された広告情報を用いてコンテンツを作成させることを特徴とする付記１８または１９に記載の情報提供プログラム。
【０１４４】
（付記２１）前記コンテンツ作成工程によって作成されたコンテンツの表示順序を変更する表示順序変更情報を受信させる表示順序変更情報受信工程をコンピュータに実行させ、
前記広告情報抽出工程は、前記表示順序変更情報受信工程によって受信された表示順序変更情報に基づいて、所定の広告情報のみを抽出させることを特徴とする付記２０に記載の情報提供プログラム。
【０１４５】
（付記２２）前記広告情報抽出工程によって広告情報が抽出された回数または前記コンテンツ作成工程によって広告情報が前記コンテンツの作成に用いられた回数を前記広告情報ごとに計数させる計数工程と、
前記計数工程によって計数された回数に基づいて、課金情報を作成させる課金情報作成工程と、
をコンピュータに実行させることを特徴とする付記２０または２１に記載の情報提供プログラム。
【０１４６】
（付記２３）前記登録工程によって登録されたサイトに関する情報を前記クライアント装置へ送信するサイト情報送信工程をコンピュータに実行させることを特徴とする付記１８〜２２のいずれか一つに記載の情報提供プログラム。
【０１４７】
（付記２４）前記コンテンツ作成工程は、前記情報更新工程によって更新された情報が、前記提供情報抽出工程によって抽出された提供情報または前記広告情報抽出工程によって抽出された広告情報である場合に、前記更新された情報を用いて前記コンテンツを再作成させることを特徴とする付記１８〜２３のいずれか一つに記載の情報提供プログラム。
【０１４８】
（付記２５）前記コンテンツ作成工程によって前記コンテンツが再作成された場合に、前記再作成に関する情報を前記クライアント装置へ送信させる再作成情報送信工程をコンピュータに実行させることを特徴とする付記２４に記載の情報提供プログラム。
【０１４９】
（付記２６）複数の提供情報の全部または一部を集約した集約情報を所定のクライアント装置へ送信させる集約情報送信工程と、
前記集約情報によって集約された複数の提供情報の中から選択された提供情報に関する選択情報を受信させる選択情報受信工程と、
前記選択情報受信工程によって受信された選択情報に基づいて、所定の提供情報のみを抽出させる提供情報抽出工程と、
前記提供情報抽出工程によって抽出された提供情報を前記クライアント装置へ送信させる提供情報送信工程と、
をコンピュータに実行させることを特徴とする情報提供プログラム。
【０１５０】
【発明の効果】
以上説明したように、この発明は、利用者が送信されてきた集約情報の中から所望の提供情報を選択するだけで、所望の提供情報（および広告情報）のみからなるホームページが自動作成され、あるいは、所望の提供情報（および広告情報）のみからなるメールが送信される。したがって、携帯電話機やパーソナルコンピュータなど、それぞれのメディア特性を活かし、かつ、メディアに依存しない情報整理をおこなうことができる。これによって、利用者に対して効率的な情報の参照、選択および取得を可能ならしめるとともに、選択された情報の整理を代行することが可能な情報提供方法、情報提供装置および情報提供プログラムが得られるという効果を奏する。
【図面の簡単な説明】
【図１】この発明の本実施の形態の概要を示す説明図である。
【図２】図１に示した広告情報ファイルの構成を示す説明図である。
【図３】図１に示した利用者情報ファイルの構成を示す説明図である。
【図４】図１に示したニュースソース・ファイルの構成を示す説明図である。
【図５】図１に示したニュースカテゴリ・ファイルの構成を示す説明図である。
【図６】図１に示した利用者別ニュースカテゴリ・ファイルの構成を示す説明図である。
【図７】この発明の本実施の形態にかかる情報提供装置（コンピュータ）のハードウエア構成の一例を示すブロック図である。
【図８】この発明の本実施の形態にかかる情報提供装置の機能的構成を示すブロック図である。
【図９】図１に示した送信プロセスの処理の内容を示すフローチャートである。
【図１０】送信プロセスにおいて編集されたＰＣ宛詳細メールの一例を示す説明図である。
【図１１】送信プロセスにおいて編集された携帯電話機宛簡易メールの一例を示す説明図である。
【図１２】利用者端末装置（クライアント装置）における返信プロセスの処理の内容を示すフローチャートである。
【図１３】返信プロセスにおける返信メールの作成方法の一例を示す説明図である。
【図１４】返信プロセスにおける返信メールの作成方法の別の一例を示す説明図である。
【図１５】返信プロセスにおける返信メールの作成方法の別の一例を示す説明図である。
【図１６】図１に示したＨＰ作成プロセスの処理の内容を示すフローチャートである。
【図１７】ＨＰ作成プロセスにおけるＨＴＭＬ編集処理の内容を示す説明図である。
【図１８】ＨＰ作成プロセスによって作成されたホームページの表示レイアウトの一例を示す説明図である。
【図１９】ＨＰ作成プロセスによって作成されたホームページの表示レイアウトの別の一例を示す説明図である。
【図２０】図１に示したＨＰ作成プロセスの処理の別の内容を示すフローチャートである。
【図２１】ＨＰ作成プロセスにおける広告選択処理の内容を示す説明図である。
【図２２】ＨＰ作成プロセスによって作成されたホームページの表示レイアウトの別の一例を示す説明図である。
【図２３】図１に示したメール作成プロセスの処理の内容を示すフローチャートである。
【図２４】メール作成プロセスにおけるテキスト編集処理・広告選択処理の内容を示す説明図である。
【図２５】この発明の本実施の形態にかかるキーワード追加処理の内容を示すフローチャートである。
【図２６】この発明の本実施の形態にかかる画面再表示処理の内容を示すフローチャートである。
【図２７】この発明の本実施の形態にかかる更新要求処理の内容を示すフローチャートである。
【図２８】この発明の本実施の形態にかかる更新処理の内容を示すフローチャートである。
【図２９】この発明の本実施の形態にかかる課金情報作成処理の内容を示すフローチャートである。
【図３０】この発明の本実施の形態にかかる情報提供方法を実現するシステムのシステム構成を示す説明図である。
【符号の説明】
１００  仲介業者（ニュース配信元）
１０１  利用者
１０２  広告主
１１１  広告情報ファイル
１１２  利用者情報ファイル
１１３  ニュースソース・ファイル
１１４  ニュースカテゴリ・ファイル
１１５  利用者別ニュースカテゴリ・ファイル
８０１  提供情報（ニュースソース）データベース
８０２  集約情報生成部
８０３  集約情報送信部
８０４  選択情報受信部
８０５  提供情報抽出部
８０６  コンテンツ（ホームページ）作成部
８０７  登録部
８０８  提供情報送信部
８０９  サイト情報送信部
８１０  広告情報データベース
８１１  広告情報抽出部
８１２  計数部
８１３  課金情報作成部
８１４  情報更新部
８１５  再作成情報送信部
３００１  広告管理用ＤＢサーバ
３００２  利用者管理用ＤＢサーバ
３００３  ニュース管理用ＤＢサーバ
３００４  メールサーバ
３００５  ＡＰＬサーバ
３００６  Ｗｅｂサーバ
【図１】
0004327381.tif 000002
【図２】
0004327381.tif 000003
【図３】
0004327381.tif 000004
【図４】
0004327381.tif 000005
【図５】
0004327381.tif 000006
【図６】
0004327381.tif 000007
【図７】
0004327381.tif 000008
【図８】
0004327381.tif 000009
【図９】
0004327381.tif 000010
【図１０】
0004327381.tif 000011
【図１１】
0004327381.tif 000012
【図１２】
0004327381.tif 000013
【図１３】
0004327381.tif 000014
【図１４】
0004327381.tif 000015
【図１５】
0004327381.tif 000016
【図１６】
0004327381.tif 000017
【図１７】
0004327381.tif 000018
【図１８】
0004327381.tif 000019
【図１９】
0004327381.tif 000020
【図２０】
0004327381.tif 000021
【図２１】
0004327381.tif 000022
【図２２】
0004327381.tif 000023
【図２３】
0004327381.tif 000024
【図２４】
0004327381.tif 000025
【図２５】
0004327381.tif 000026
【図２６】
0004327381.tif 000027
【図２７】
0004327381.tif 000028
【図２８】
0004327381.tif 000029
【図２９】
0004327381.tif 000030
【図３０】
0004327381.tif 000031